(57)【要約】【課題】筐体に別部材を取り付ける際に、該別部材の有利な取り付け構造を与えることによって、筐体に対する別部材の取り付けを確実かつ強固にすると共に意匠性に優れた携帯端末を提供するものである。【解決手段】開口１０を有するケース部材３６と、前記開口１０に配置され、一部が前記ケース部材３６の内面に固着される別部材３７とを有し、前記別部材３７の一部は、前記ケース部材３６の内面と前記ケース部材３６内に備える部品７ｐとの間で挟持するようにする。【選択図】図１０
2008085595.tif 000002
【特許請求の範囲】
【請求項１】
開口を有する筐体と、前記開口に配置され、一部が前記筐体の内面に固着される別部材とを有し、前記別部材の一部は、前記筐体の内面と前記筐体内に備える部品との間で挟持するようにしたことを特徴とする携帯端末。
【請求項２】
前記別部材は、キー孔が形成されたキーフレームであり、前記部品は前記キー孔に挿入される操作キーの操作状態を検出するキー基板であることを特徴とする請求項１に記載の携帯端末。
【請求項３】
前記キー孔が複数形成された別部材と前記キー基板との間に、前記複数のキー孔に挿入される複数の換作キーが配された弾性シートを備え、前記別部材には前記キー孔間を仕切る仕切部を有すると共に、該仕切部内面より突出する凸部を備え、該凸部は前記弾性シートを介して前記キー基板上に配置されている請求項２に記載の携帯端末。
【請求項４】
前記仕切部と前記弾性シートとの間には隙間が設けられると共に、前記操作キーには前記隙間を配される鍔部が備えられ、該鍔部は、前記凸部を避けて形成されている請求項３に記載の携帯端末。
【請求項５】
前記弾性シートには前記凸部が挿入される凹部を有する請求項３又は４に記載の携帯端末。
【請求項６】
前記別部材と前記筐体とは異なる色を有する請求項１乃至５のいずれか一に記載の携帯端末。
【請求項７】
前記別部材と前記筐体とは異なる材質からなる請求項１乃至５のいずれか一に記載の携帯端末。
【発明の詳細な説明】
【技術分野】
【０００１】
本発明は、携帯端末を構成する筐体に例えば該筐体と色や材質の異なる別部材を取り付けてなる携帯端末に関するものである。
【背景技術】
【０００２】
携帯電話やＰＤＡ（Personal Digital Assistant）を典型例とする携帯端末には、各種入力操作を行うためのキーが必要であり、多数のキーを配列させたキー操作部を有するのが通例である。
【０００３】
例えば、携帯電話機におけるキー操作部としては、特許文献１に開示の構造が一般的である。すなわち、図１に示すように、下側筐体100内に、薄肉のラバーシート101上に所定の間隔をおいて配置された複数個の操作キー102を有するキーシート103と、ラバーシート101を挟んで操作キー102と反対側に配置され、操作キー102と対向する位置にスイッチ素子104を備えたスイッチ基板105と、を収容し、これら内部部品を収容した下側筐体100に、前記操作キー102を露出させるための複数の開口が形成された上側筐体106を、重ね合わせてキー操作部が構成されている。
【０００４】
かようなキー操作部において、操作するキーの識別を容易にし、また意匠上の観点から、キーの周辺部を筐体とは別色にする工夫がなされている。この色分けを、上記したキー操作部構造で実施する場合は、上側筐体106のキー周辺部を筐体と別色にすることが考えられる。具体的には、キー周辺部に筐体と別色の塗装を施して対応するが、塗り分けのための見切り部に溝107が必要になることから、この溝107に汚れが溜まって外観を損ね易い。さらに、上側筐体106に対して見切り部の溝加工が必要になるため、部品製造の歩留まりが低下することも問題になる。
【０００５】
かような問題を解消するには、図２に折り畳み形式の携帯電話機を示すように、その操作部Ｓを構成する上側の筐体200の上面部に、操作キー201の周辺部を形成するキーフレーム202を、筐体200とは別体として取り付ける、キー操作部の構造が考えられる。かかる構造においては、図２（ａ）のＶ−Ｖ線断面図である、図２（ｂ）に示すように、筐体200の上面開口に収まるよう配置された操作キー201と、薄肉の弾性シート206と、操作キー201の操作状態を検出するキー基板207とが、順に積層配置されて構成されることとなる。すなわち、キーフレーム202は、筐体200とは別体として製造可能であるから、その着色や材質を任意に変更でき、上記した問題を解消することが可能である。
【特許文献１】特開２００５−３４０８９１号公報
【発明の開示】
【発明が解決しようとする課題】
【０００６】
しかしながら、図２（ｂ）に示すように、キーフレーム202を筐体200に取り付けるに際しては、筐体200の上面開口を区画する区画部203の表面に対して、キーフレーム202の裏面を、例えば両面テープ204などの接着部材を介して接着・固定する必要があるが、かかる接着・固定方法では、キーフレーム202は、両面テープ204を介して区画部203の表面一面でしか接着・固定されておらず、キーフレーム202の固定を強固に維持することが難しく、筐体200から剥離するおそれがある。
【０００７】
そこで、本発明は、筐体に別部材を取り付ける際に、該別部材の有利な取り付け構造を与えることによって、筐体に対する別部材の取り付けを確実かつ強固にすると共に意匠性に優れた携帯端末を提供しようとするものである。
【課題を解決するための手段】
【０００８】
すなわち、本発明の要旨構成は、次のとおりである。
（１）開口を有する筐体と、前記開口に配置され、一部が前記筐体の内面に固着される別部材とを有し、前記別部材の一部は、前記筐体の内面と前記筐体内に備える部品との間で挟持するようにしたことを特徴とする携帯端末。
【０００９】
（２）前記別部材は、キー孔が形成されたキーフレームであり、前記部品は前記キー孔に挿入される操作キーの操作状態を検出するキー基板であることを特徴とする前記（１）に記載の携帯端末。
【００１０】
（３）前記キー孔が複数形成された別部材と前記キー基板との間に、前記複数のキー孔に挿入される複数の換作キーが配された弾性シートを備え、前記別部材には前記キー孔間を仕切る仕切部を有すると共に、該仕切部内面より突出する凸部を備え、該凸部は前記弾性シートを介して前記キー基板上に配置されている前記（２）に記載の携帯端末。
【００１１】
（４）前記仕切部と前記弾性シートとの間には隙間が設けられると共に、前記操作キーには前記隙間を配される鍔部が備えられ、該鍔部は、前記凸部を避けて形成されている前記（３）に記載の携帯端末。
【００１２】
（５）前記弾性シートには前記凸部が挿入される凹部を有する前記（３）又は（４）に記載の携帯端末。
【００１３】
（６）前記別部材と前記筐体とは異なる色を有する前記（１）乃至（５）のいずれか一に記載の携帯端末。
【００１４】
（７）前記別部材と前記筐体とは異なる材質からなる前記（１）乃至（５）のいずれか一に記載の携帯端末。
【発明の効果】
【００１５】
本発明によれば、筐体に別部材を取り付けるに当たり、該別部材の一部分を、筐体の内面と筐体内に収容した内部部品との間に挟んで固定することから、筐体に対して別部材を確実かつ強固に取り付けることができると共に意匠性に優れた携帯端末を提供することができる。
【発明を実施するための最良の形態】
【００１６】
以下、本発明を実施するための最良の形態について、図面を参照して説明する。
図３は、図２に示した携帯電話機と同様の折り畳み式の携帯電話機１（携帯端末）における外観斜視図である。携帯電話機１は、図３に示すように、表示側筐体２と操作側筐体３とを備え、ヒンジ部４を介して開閉自在に連結されて構成されている。また、携帯電話機１は、図示しない内蔵アンテナを介して音声情報、電子メール情報、画像データ等の種々の情報を、波形信号として外部基地局を含む通信網に送受信可能に構成され、それにより電話の発着信、電子メール、画像データ等の送受信等の通信を行うことができる。
【００１７】
表示側筐体２は、例えばＬＣＤ（Liquid Crystal Display）で構成される表示部５や受話用スピーカ６を備えて構成される。表示部５は、携帯電話機１の各動作に関する種々の情報、例えば、電話の発着信に関する情報、電子メールの送受信に関する情報、画像データ、インターネット、テレビに関する情報等を表示可能に構成される。受話用スピーカ６は、電話に係る音声情報等を報知可能に構成される。
【００１８】
一方、操作側筐体３は、フロントケース３１とリアケース３２とが図示しないケース固定用ネジで嵌合固定されて構成されており、操作部７や通話用マイク８を備えて構成される。操作部７は、フロントケース３１から外部に露出して配置され、文字入力等の各種入力操作を行うためのいわゆるカーソルキーやテンキーと呼ばれる操作キー７ａ〜７ｆを有している。
【００１９】
次に、操作側筐体３の内部の詳細を図４に示す。図４は、操作側筐体３を積層方向に分解してリアケース３２側から眺めた分解斜視図である。図４に示すように、操作側筐体３は、フロントケース３１から順に、操作キー７ａ〜７ｆを備える弾性シート７ｇ、キー基板７ｐ、シールドケース３３、回路基板３４、近距離通信用ＩＣ基板３５、及び前記近距離通信用ＩＣ基板３５に接続されるループアンテナ（不図示）を備えたリアケース３２の順に積層配置されて構成されている。
【００２０】
次に、操作側筐体３のフロントケース３１について図５および図６を用いて詳細に述べる。図５は、フロントケース３１を外部側から眺めた分解斜視図、図６は、内側から眺めた分解斜視図である。フロントケース３１は、開口１０と開口１０を区画する周縁部分１１、１２、１３および１４とを有するケース部材３６（筐体）と、別部材たるキーフレーム３７とで構成され、両者は固着されて一体的に構成される。これらケース部材３６とキーフレーム３７とは、それぞれ異なる色で装飾されていると共に、異なる材質で構成されている。
【００２１】
なお、ケース部材３６の周縁部分１４は、他の周縁部分１１、１２、１３に比べて外部表面が内側に一段下がった段差を有して構成されると共に、孔１５および１６を有して構成される。
【００２２】
次に、キーフレーム３７について図７を参照しながら詳細に述べる。図７（ａ）は、キーフレーム３７を正面から眺めた外観図であり、図７（ｂ）は、図７（ａ）におけるＺ−Ｚ線断面図であり、図７（ｃ）は、図７（ｂ）のＡ領域を拡大した断面図である。
【００２３】
図７（ａ）に示すように、キーフレーム３７は、カーソルキー７ａが挿入される開口２０ａ（キー孔）を区画するリング部２４ａ（仕切部）と、操作キー７ｂ〜７ｆが挿入される開口２０ｂ〜２０ｆ（キー孔）を区画する縦枠部２６ａ及び２６ｂと当該縦枠部２６ａ及び２６ｂと連結される横枠部２４ｂ〜２４ｇ（仕切部）と、を備えて形成される。
【００２４】
そして、リング部２４ａ端縁には外側に張り出した接合部２１（別部材の一部）が形成されており、また、両縦枠部２６ａ、２６ｂにはそれぞれ外側に張り出した接合部２２（別部材の一部）および２３（別部材の一部）が形成されている。これら接合部２１、２２、および２３は、図７（ｂ）および図７（ｃ）に断面形状を示すように、段差状に形成されて外側に延びている。
【００２５】
また、キーフレーム３７の円形開口２０ａと逆の基端側にある横枠部２４ｇには、携帯電話機１の通話用マイク８と対向する受話口３０が形成されており、横枠部２４ｇの裏面には図６に示すように、受話口３０を挟んだ位置にケース部材３６の孔１５，１６に挿入される突起３８および３９がそれぞれ形成されている。さらに、各横枠部２４ｃ〜２４ｆの裏面には、それぞれ一定の間隔で配置された３つの凸部２５ａ〜２５ｄを有している。
【００２６】
次に、ケース部材３６とキーフレーム３７との接合構造について、図８を用いて説明する。図８は、フロントケース３１を内側正面から眺めた図である。
【００２７】
図８に示すように、キーフレーム３７がケース部材３６に取り付けられた状態においては、キーフレーム３７の接合部２１、２２および２３は、ケース部材３６の開口１０を区画する周縁部分１１、１２および１３の内面に対向し、両者は互いに固着されることにより取り付けられると共に、キーフレーム３７の仕切部２４ｇは、ケース部材３６の周縁部分１４の外部表面に対向配置される。なお、本実施形態においては、接合部２１、２２および２３と周縁部分１１，１２および１３の内面とは、超音波溶着により互いに固着されているが、本発明はこの超音波溶着に限ることなく、ネジや両面テープ等の他の固着手段によって両者を互いに固着する構成としてもよい。
【００２８】
キーフレーム３７の仕切部２４ｇの裏面に形成された突起３８および３９は、ケース部材３６の周縁部１４に形成された孔１５および１６に対して嵌め込まれる構成となっている。その為、キーフレーム３７のケース部材３６に対する相対位置を決定することができると共に、キーフレーム３７基端側においてもケース部材３６に確実かつ強固に固定することができる。
【００２９】
さらに、上述したように、接合部２１、２２および２３はケース部材３６の厚み分の段差を介して外側に延びる構成となっているため、キーフレーム３７がケース部材３６に固着された状態においては、ケース部材３６の外部表面とキーフレーム３７の外部表面とは略同一平面上に形成されることとなる（図１０（ｃ）参照）。そのため、外形上の違和感が少ないという効果を奏する。
【００３０】
次に、操作キー７ａ〜７ｆおよび弾性シート７ｇからなるキーシートの詳細について図９を用いて説明する。図９は、操作キー７ａ〜７ｆおよび弾性シート７ｇを正面から眺めた外観図である。図９に示すように、操作キー７ａ〜７ｆは、薄肉の弾性シート７ｇ上に配置されている。本実施形態においては、操作キー７ａ〜７ｆは溶着により弾性シート７ｇ上に固着されている。なお、溶着は固着手段としての一例であり、その他の固着手段、
例えば接着剤を介して固着する構成としてもよい。
【００３１】
各操作キー７ａ〜７ｆは、キーフレーム３７と同一色・同一材料で形成された、いわゆるカーソルキーおよびテンキーであり、その表面には操作内容を示す印刷（各キーに対応して割り当てられた０〜９の数字の他、ひらがな、アルファベット、記号等の印刷）が施されている。そして、各操作キー７ｂ〜７ｆは、矩形板状の形状を有しており、３つの操作キーを一組として所定の間隔をあけて５組の操作キー群を、弾性シート７ｇ上に形成してある。また、各操作キー７ｂ〜７ｆの長手方向には、外側にはり出した鍔部３pを備えると共に、操作キー同士対向する鍔部３ｐは、その中央を切り欠いた構成としてある。
【００３２】
弾性シート７ｇは、操作キー７ａ〜７ｆを支持するゴム材からなるラバーシートであり、各操作キー７ａ〜７ｆに対応してそれぞれキー基板７pに対向して突出する押し子７ｈを有している。また、各操作キー７ｂ〜７ｆの長手方向中央部の鍔部３pが形成されていない部位同士が対向することにより形成される空間には凹部５ａ〜５ｄが形成されて構成されている。
【００３３】
次に、フロントケース３１にキーシート及びキー基板７pを取り付けた状態を図１０及び図１１を用いて説明する。図１０（ａ）は、操作キー７ａ〜７ｆが取り付けられた状態におけるフロントケース３１を外側正面から眺めた外観図であり、図１０（ｂ）は、図１０（ａ）のＷ−Ｗ線断面図であり、図１０（Ｃ）は、図１０（ｂ）の領域Ａの拡大図である。図１１は、図１０におけるＸ−Ｘ線断面図である。
【００３４】
図１０に示すように、操作キー７ａ〜７ｆは、キーフレーム３７に形成された開口２０ａ〜２０ｆ（図７参照）に挿入されて外部に露出するように組み付けられる。そして、図１０（ｂ）に示すように、ケース部材３６の外部表面、キーフレーム３７の外部表面、および操作キー７ａ〜７ｆの外部への露出面とは略同一平面を構成する。したがって、各操作キー７ａ〜７ｆが取り付けられたフロントケース３１は、外形上違和感が無いという効果を奏する。また、上述したように操作キー７ａ〜７ｆとキーフレーム３７とは同一色・同一材料で形成されるため、外観上の違和感が少ないという効果も奏する。
【００３５】
また、弾性シート７ｇの上に配置された操作キー７ａ〜７ｆがフロントケース３１に取り付けられた状態においては、キーフレーム３７の横枠部２４ｃ〜２４ｆの内面に形成された凸部２５ａ〜２５ｄと、弾性シート７ｇ上に形成された凹部５ａ〜５ｄとは互いに対向し、凸部２５ａ〜２５ｄは凹部５ａ〜５ｄの内部に挿入されるよう構成される。すなわち、図１１に示すように、当該取り付け状態においては、キーフレーム３７の横枠部２４ｄの内面に形成された凸部２５ｂは、弾性シート７ｇ上に形成された凹部５ｂに挿入され、両者の相対位置は決定されることとなる。この両者と同じ関係は、凸部２５ａと凹部５ａ、凸部２５Ｃと凹部５Ｃ及び凸部２５ｄと凹部５ｄとの関係にも同様に当てはまる。つまりこれらの３者の相対位置もそれぞれについて決定されることとなる。弾性シート７ｇのキーフレーム３７に対する相対位置は、凸部２５ａ〜２５ｄが凹部５ａ〜５ｄの内部に挿入されることにより確実かつ容易に決定されることとなる。
【００３６】
各操作キー７ａ〜７ｆに形成された鍔部３pは、キーフレーム３７の横枠部２４ｂ〜２４ｇと弾性シート７ｇとの間に形成される隙間qに入り込むように配置される。このように、鍔部３pが、キーフレーム３７の横枠部２４ｂ〜２４ｇと弾性シート７ｇとの間に形成される隙間qに入り込む構成とすることで、操作キー７ｂ〜７ｆは、外方に飛び出させるような力が付加されたとしても、横枠部２４ｂ〜２４ｇが鍔部３pの受け手となることから、外部に飛び出しにくいという効果を奏する。
【００３７】
さらに、鍔部３pは各操作キー７ａ〜７ｆの長手方向中央部を避けるように形成されている結果、キーフレーム３７の横枠部２４ｄの内面に形成された凸部２５ａ〜２５ｄを避けるように配置されるようになっている。
【００３８】
次に、図１０および図１１を用いて操作側筐体３の内部に備えられたキー基板７pの配置について説明する。キー基板７pは、操作キー７ａ〜７ｆの操作状態を検出するために、各操作キー７ａ〜７ｆと対向する位置、すなわち、弾性シート７ｇに形成された押し子７ｈと対向する位置に設けられた複数のタクトスイッチ７２を有する回路基板であって、図１０（ｂ）および図１０（ｃ）に示すように、キー基板７p端部は、ケース部材３６の周縁部分１２および１３の内面に対向する位置まで延出して形成されている。
【００３９】
そして、キーシートの各操作キー７ａ〜７ｆをフロントケース３１の開口２０ａ〜２０ｆに挿入してキーシートをフロントケース３１の内面に配置したあと、さらにキー基板７pを積層配置する。このとき、キーフレーム３７の接合部２１〜２３は、ケース部材３６の周縁部分１１〜１３の内面とキー基板７pとの間で挟持するよう構成してある。かかる挟持構造により、キーフレーム３７は、超音波溶着によってケース部材３６の周縁部分１２および１３の内面に対して固着されるのみならず、キー基板７pによっても支持される構成となるため、ケース部材３６の周縁部分１１〜１３とキーフレーム３７の接合部２１〜２３との間に作用する応力を低減できるため、キーフレーム３７をより強固にフロントケース３１に対して取り付けられる構成となっている。
【００４０】
また、図１１に示すように、凸部２５ａ〜２５ｄは、弾性シート７ｇの凹部５ａ〜５ｄを介してキー基板７p上に隙間なく配置されることとなる。したがって、操作キー７ａ〜７ｆの押下の際に横枠部２４ｂ〜２４ｆも押下されたとしても横枠部２４ｂ〜２４ｆの変形を防ぐことができる。
【００４１】
以上説明したように、本実施形態の携帯電話機１によると、キーフレーム３７をフロントケース３１の内面に固着すると共にフロントケース３１内に備えるキー基板７pとの間で挟持されるよう構成したため、デザイン上の選択の幅が増して意匠性に優れると共に、キーフレーム３７を確実かつ強固にフロントケース３１に取り付けることができる。
【００４２】
例えば、ケース部材３６と全く異なる色や質感のキーフレーム３７をケース部材３６に装着することにより、その境界を明瞭にすることができる。また、キーフレーム３７を金属部材などの高強度材から作製することによって、特に部分的に高い強度を付与することも可能である。
【００４３】
また、本実施形態における、ケース部材３６と異なる色・異なる材質で構成される別部材をキーフレーム３７とし、かつ、キーフレーム３７をケース部材３６の内面とで挟持する部品を操作キー７ａ〜７ｆの操作状態を検出するキー基板７pとすることにより、図２（ｂ）に示す従来例と比較して操作部周辺構造を薄型化することもできる。
【００４４】
即ち、図２（ｂ）に示す従来構造では、キーフレーム２０２の裏面を筐体２００の上面開口を区画する区画部２０３に対して、両面テープ２０４を介して接着、固定される構成となっているため、操作キー２０１の厚さは、キーフレーム２０２、両面テープ２０４、区画部２０３の総和分を少なくとも必要とするが、本実施形態における携帯電話機１においては、キーフレーム３７の操作キー７ａ〜７ｆが嵌まり込む開口２０ａ〜２０ｆの厚さは、ケース部材３６の厚さの寄与のない、キーフレーム３７そのものの厚さしか有していないため、操作キー７ａ〜７ｆの厚さは、キーフレーム３７の厚さ分だけ確保されれば足りる。
【００４５】
したがって、本実施形態における操作キー７ａ〜７ｆは、図２（ｂ）に示す従来の構成における区画部２０３と両面テープ２０４の厚さがない分だけ、薄型化を図ることができ、ひいては携帯電話機１全体も薄型化することができる。また、キーフレーム３７をケース部材３６の内面とで挟持する部品が操作キー７ａ〜７ｆの操作状態を検出するキー基板７pであるため、当該挟持するための内部部品や内部構造を改めて用意したり設計したりする必要がなく、操作側筐体３の内部配置構造の簡易化・簡素化を図ることもできる。
【００４６】
また、本実施形態において、閉口２０ａ〜２０ｆが形成されたキーフレーム３７とキー基板７pとの間には弾性シート７ｇが備えられ、キーフレーム３７には開口２０ｂ〜２０ｆを仕切る横枠部２４ｂ〜２４ｆを有すると共に、キーフレーム３７の横枠部２４ｃ〜２４ｆの内面には凸部２５ａ〜２５ｄが備えられ、当該凸部２５ａ〜２５ｄが弾性シート７ｇの凹部５ａ〜５ｄを介してキー基板７pの上に隙間なく配置されることとなる。したがって、外部からキーフレーム３７に対して負荷がかかったとしても、キーフレーム３７の撓みや変形を好適に抑制できる。
【００４７】
さらに、本実施形態によると、キーフレーム３７の横枠部２４ｂ〜２４ｇと弾性シート７ｇとの間には隙間qを有し、操作キー７ａ〜７ｆに形成された鍔部３pが隙間qに入り込むよう構成されるため、操作キー７ａ〜７ｆは、外部に飛び出すような力が加わったとしても、横枠部２４ｂ〜２４ｇが鍔部３pの受け手となることから、操作キー７ａ〜７ｆが外部に飛び出してしまうことは好適に抑制される。
【００４８】
また、鍔部３pは、横枠部２４ｃ〜２４ｆの内面より突出する凸部２５ａ〜２５ｄを避けるよう形成されているため、弾性シート７ｇのキーフレーム３７に対する相対位置は、鍔部３pと凸部２５ａ〜２５ｄとの相対位置を基準に確実かつ容易に決定され、弾性シート７ｇ上に配置された操作キー７ａ〜７ｆをフロントケース３１に取り付ける際の作業効率が向上する。
【００４９】
また、本実施形態によると、弾性シート７ｇをフロントケース３１に組み付ける際には、凸部２５ａ〜２５ｄが凹部５ａ〜５ｄの内部に挿入される構成となることより、当該組み付けに際する弾性シート７ｇのキーフレーム３７に対する相対位置は、凸部２５ａ〜２５ｄが凹部５ａ〜５ｄの内部に挿入されることにより確実かつ容易に決定されることとなる。つまり、弾性シート７ｇ上に配置された操作キー７ａ〜７ｆをフロントケース３１に取り付ける際の作業効率が向上する。
【００５０】
なお、本発明の説明につき、携帯端末として携帯電話機を例に用いたが、これに限定されるものではなく、PDAやPHS、ポータブルゲーム機やポータブルナビゲーションシステムなどの特にキー操作部を有する類の電子機器であれば適用可能であることは言うまでもない。
【００５１】
すなわち、別部材としては、上述のキーフレームのほか、その他の部材であってもよく、要は別部材の一部分が筐体の内面に固着されて構成すると共に、当該内面と筐体内部に収容される内部部品とによって挟持される構成であれば、本発明は適用可能である。
【図面の簡単な説明】
【００５２】
【図１】折り畳み形式の携帯電話機におけるキー操作部の構造を示す分解斜視図である。
【図２】折り畳み形式の携帯電話機におけるキー操作部の別構造を示す図である。
【図３】本発明に従う携帯端末の外観斜視図である。
【図４】操作側筐体を積層方向に分解してリアケース側から眺めた分解斜視図である。
【図５】フロントケースを外部側から眺めた分解斜視図である。
【図６】フロントケースを内側から眺めた分解斜視図である。
【図７】（ａ）は、キーフレーム３７を正面から眺めた外観図であり、（ｂ）は（ａ）におけるＺ−Ｚ線断面図であり、（ｃ）は（ｂ）のＡ領域を拡大した断面図である。
【図８】フロントケースを内側正面から眺めた図である。
【図９】操作キーおよび弾性シートを正面から眺めた外観図である。
【図１０】（ａ）は操作キーが取り付けられた状態におけるフロントケースを外側正面から眺めた外観図であり、（ｂ）は（ａ）のＷ−Ｗ線断面図であり、（Ｃ）は（ｂ）の領域Ａの拡大図である。
【図１１】図１０におけるＸ−Ｘ線断面図である。
【符号の説明】
【００５３】
１  携帯電話機（携帯端末）
２  表示側筐体
３  操作側筐体
４  ヒンジ部
５  表示部
６  受話用スピーカ
７ａ〜７ｆ  操作キー
７ｇ  弾性シート
７ｐ  キー基板
１０  開口
２０ａ  開口（キー孔）
２０ｂ〜２０ｆ  開口（キー孔）
２４ａ  リング部（仕切部）
２５ａ〜２５ｄ  凸部
５ａ〜５ｄ  凹部
３１  フロントケース
３２  リアケース
３３  シールドケース
３４  回路基板
３５  近距離通信用ＩＣ基板
３６  ケース部材（筐体）
３７  キーフレーム
【図１】
2008085595.tif 000003
【図２】
2008085595.tif 000004
【図３】
2008085595.tif 000005
【図４】
2008085595.tif 000006
【図５】
2008085595.tif 000007
【図６】
2008085595.tif 000008
【図７】
2008085595.tif 000009
【図８】
2008085595.tif 000010
【図９】
2008085595.tif 000011
【図１０】
2008085595.tif 000012
【図１１】
2008085595.tif 000013